(57)【要約】【課題】メッキラインを殆ど停止することなく安全にバッフルプレートを取り替えること。【解決手段】メッキ槽を経由して上方へ送られる鋼帯の側端に近接して配置されるバッフルプレートの取り替え装置を前提とし、第１支持機構７Ａおよび第２支持機構７Ｂを備えるものである。第１支持機構７Ａは、第１バッフルプレート４Ａを、前記鋼帯のパスライン１２に沿って当該鋼帯の側端に近接する使用位置５と、該使用位置５よりも前記鋼帯の側端から離れた第１退避位置６Ａとの間で移動可能に支持するものであり、第２支持機構７Ｂは、第２バッフルプレート４Ｂを、前記使用位置５と、前記使用位置５よりも前記鋼帯の側端から離れた第２退避位置６Ｂとの間で移動可能に支持するものである。第１支持機構７Ａと第２支持機構７Ｂとは、パスライン１２に沿った鉛直面１５に関して互いに反対側に設置されている。【選択図】図２
2014189819.tif 000002
【特許請求の範囲】
【請求項１】
メッキ槽を経由して上方へ送られる鋼帯の側端に近接して配置されるバッフルプレートの取り替え装置であって、
第１バッフルプレートを、前記鋼帯のパスラインに沿って当該鋼帯の側端に近接する使用位置と、該使用位置よりも前記鋼帯の側端から離れた第１退避位置との間で移動可能に支持する第１支持機構と、
第２バッフルプレートを、前記使用位置と、前記使用位置よりも前記鋼帯の側端から離れた第２退避位置との間で移動可能に支持する第２支持機構と、
を備える、ことを特徴とするバッフルプレートの取り替え装置。
【請求項２】
請求項１に記載のバッフルプレートの取り替え装置において、
前記第１支持機構および前記第２支持機構はそれぞれ、
前記鋼帯のパスラインに沿う鉛直面の方に上方に向かって傾斜した軸線を中心に揺動するよう基端部が基台に軸支された複数の上部リンク部材と、
前記複数の上部リンク部材の先端部に軸支された斜板部と、該斜板部から下方に延出した鉛直板部と、を有する中間部材と、
前記鉛直面に略直交する軸線を中心に揺動するよう基端部が前記中間部材の鉛直板部に軸支され、先端部が前記バッフルプレートに軸着された複数の下部リンク部材と、
を含んでおり、
前記第１支持機構と前記第２支持機構とは、前記鉛直面に関して互いに反対側に設置されている、ことを特徴とするバッフルプレートの取り替え装置。
【請求項３】
請求項２に記載のバッフルプレートの取り替え装置において、
前記バッフルプレートが前記退避位置から前記使用位置に移動する途中で、前記中間部材の斜板部の下面に摺動しつつ当該下面を持ち上げるバッフルプレート傾き防止部材を備える、ことを特徴とするバッフルプレートの取り替え装置。
【発明の詳細な説明】
【技術分野】
【０００１】
本発明は、メッキ槽を経由して上方へ送られる鋼帯の両側に配置されるバッフルプレートを取り替えるための装置に関する。
【背景技術】
【０００２】
連続溶融メッキラインにおいては、メッキ槽を経由して上方へ送られる鋼帯（被メッキ鋼板）の両面に対し、高圧エアーを吹き付けることにより、余分な溶融金属が除去される。しかし、鋼帯の側端部では、側端部の外側にエアー噴流の一部が逃げるため、鋼帯の中央部よりもエアーの吹き付け圧力が低くなってしまう。その結果、鋼帯の側端部では余分な溶融金属が十分に除去されず、中央部より溶融金属の付着量が多くなってしまう、所謂エッジオーバーコートが発生する。
【０００３】
従来より、このエッジオーバーコートを防止するために、鋼帯の両外側に、バッフルプレートが配置されている。このバッフルプレートによるエアー噴流の整流作用によって、鋼帯の側端部と中央部に対するエアーの吹き付け圧力が均等になり、エッジオーバーコートの発生が防止される。このようなバッフルプレートは、例えば特許文献１に開示されている。
【先行技術文献】
【特許文献】
【０００４】
【特許文献１】特開２００２−３０４０７号公報
【発明の概要】
【発明が解決しようとする課題】
【０００５】
ところで、バッフルプレートは何らかの事情により取り替えなければならないことがある。例えば、鋼帯に高圧エアーを吹き付けることで、鋼帯が板厚方向にズレたり、バタついたりすると、鋼帯に付着した溶融金属が高圧エアーの噴流によって引き剥がされて飛散し（所謂スプラッシュ）、バッフルプレートに固着する。そして、バッフルプレートに固着した溶融金属が堆積すると、そのバッフルプレートは使用目的（整流作用）を果たさなくなるため、取り替えなければならない。また例えば、誤ってバッフルプレートとワイピングノズルとを接触させてバッフルプレートを曲損してしまった場合も、そのバッフルプレートは使用目的を果たさなくなるため、取り替えなければならない。
【０００６】
ところが、バッフルプレートは、メッキ槽上に配置されるため、メッキラインを稼働させたままでの取り替えは非常に困難である。このため、バッフルプレートの取り替えは、メッキラインを停止して行われ、バッフルプレートの取り替え作業により、生産効率が低下するという問題があった。
【０００７】
本発明はかかる問題に鑑みて創案されたものであり、メッキラインを殆ど停止することなくバッフルプレートを取り替えることができるバッフルプレートの取り替え装置を提供することを目的とする。
【課題を解決するための手段】
【０００８】
本発明のバッフルプレートの取り替え装置は、メッキ槽を経由して上方へ送られる鋼帯の側端に近接して配置されるバッフルプレートの取り替え装置を前提とし、第１支持機構および第２支持機構を備えるものである。前記第１支持機構は、第１バッフルプレートを、前記鋼帯のパスラインに沿って当該鋼帯の側端に近接する使用位置と、該使用位置よりも前記鋼帯の側端から離れた第１退避位置との間で移動可能に支持するものである。前記第２支持機構は、第２バッフルプレートを、前記使用位置と、前記使用位置よりも前記鋼帯の側端から離れた第２退避位置との間で移動可能に支持するものである。なお、第１退避位置と第２退避位置とは異なる位置である。
【０００９】
かかる構成を備えるバッフルプレートの取り替え装置によれば、一方のバッフルプレートを使用位置に配置し、他方のバッフルプレートを退避位置に配置した状態から、当該一方のバッフルプレートを退避位置に移動し、当該他方のバッフルプレートを使用位置に移動するだけでバッフルプレートの取り替えができるので、バッフルプレートの取り替えを迅速に行うことができる。
【００１０】
また、本発明のバッフルプレートの取り替え装置は、例えば、上記構成を備えるものにおいて、前記第１支持機構および前記第２支持機構はそれぞれ、複数の上部リンク部材、中間部材および複数の下部リンク部材を含み、第１支持機構と前記第２支持機構とが前記鋼帯のパスラインに沿う鉛直面に関して互いに反対側に設置されたものとすることができる。ここで、前記複数の上部リンク部材は、上方に向かって、前記鋼帯のパスラインに沿う鉛直面の方に傾斜した軸線を中心に揺動するよう基端部が基台に軸支されたものであることが望ましく、前記中間部材は、前記複数の上部リンク部材の先端部に軸支された斜板部と、該斜板部から下方に延出した鉛直板部と、を有するものであることが望ましく、前記複数の下部リンク部材は、前記鉛直面に略直交する軸線を中心に揺動するよう基端部が前記中間部材の鉛直板部に軸支され、先端部が前記バッフルプレートに軸着されたものであることが望ましい。
【００１１】
かかる構成を備えるバッフルプレートの取り替え装置によれば、第１支持機構と前記第２支持機構とが前記鉛直面に関して互いに反対側に設置されていることから、第１退避位置と第２退避位置も前記鉛直面に関して互いに反対側に存在する。これにより、２つのバッフルプレートを互いに干渉させることなく容易に取り替えることができる。
【００１２】
また、本発明のバッフルプレートの取り替え装置は、上記構成を備えるものにおいて、前記バッフルプレートが前記退避位置から前記使用位置に移動する途中で、前記中間部材の斜板部の下面に摺動しつつ当該下面を持ち上げるバッフルプレート傾き防止部材を備えるものとすることが望ましい。
【００１３】
かかる構成を備えるバッフルプレートの取り替え装置によれば、バッフルプレートが退避位置から使用位置に移動する途中で、バッフルプレート傾き防止部材により、中間部材が持ち上げられ、上部リンク部材等の垂れ下がりが矯正される。これにより、バッフルプレートを鋼帯のパスラインに正確に沿わせることができる。
【発明の効果】
【００１４】
本発明によれば、メッキラインを殆ど停止することなくバッフルプレートを取り替えることが可能となる。
【図面の簡単な説明】
【００１５】
【図１】メッキ槽を経由して上方へ送られる鋼帯とその両側に設置されたバッフルプレートの取り替え装置を示す図である。なお、退避位置にあるバッフルプレートおよびこれを支持する支持機構の図示、並びに仔細な部分の図示は省略している。
【図２】鋼帯の側方から視たバッフルプレートの取り替え装置の正面図である。
【図３】バッフルプレートの取り替え装置の右側面図である。第２支持機構、第２バッフルプレート等は図示省略している。
【図４】バッフルプレートの取り替え装置の左側面図である。第１支持機構、第１バッフルプレート等は図示省略している。
【図５】バッフルプレート傾き防止部材およびその周囲を示す図であって、中間部材の斜板部の板面に平行な方向から視た図である。
【図６】鋼帯の側方から視たバッフルプレートの取り替え装置の正面図である。
【図７】バッフルプレートの取り替え装置の右側面図である。第２支持機構、第２バッフルプレート等は図示省略している。
【図８】鋼帯の側方から視たバッフルプレートの取り替え装置の正面図である。
【図９】バッフルプレートの取り替え装置の右側面図である。第２支持機構、第２バッフルプレート等は図示省略している。
【図１０】鋼帯の側方から視たバッフルプレートの取り替え装置の正面図である。
【図１１】バッフルプレートの取り替え装置の左側面図である。第１支持機構、第１バッフルプレート等は図示省略している。
【図１２】鋼帯の側方から視たバッフルプレートの取り替え装置の正面図である。
【図１３】バッフルプレートの取り替え装置の左側面図である。第１支持機構、第１バッフルプレート等は図示省略している。
【発明を実施するための形態】
【００１６】
以下、本発明の実施の形態に係るバッフルプレートの取り替え装置について図面を参照しながら説明する。図１に示すように、バッフルプレートの取り替え装置１は、メッキ槽２を経由して上方へ送られる鋼帯３（被メッキ鋼板）の側端に近接して配置されるバッフルプレート４を取り替えるための装置である。通常、図１に示すように、鋼帯３の両側にバッフルプレート４およびバッフルプレートの取り替え装置１がそれぞれ設置される。
【００１７】
バッフルプレートの取り替え装置１には、図２〜図４に示すように、第１バッフルプレート４Ａおよび第２バッフルプレート４Ｂが取り付けられており、一方のバッフルプレートが何らかの事情により取り替える必要が生じた場合に、もう一方のバッフルプレートに迅速かつ容易に取り替えることができるようになっている。そのために、バッフルプレートの取り替え装置１は、第１バッフルプレート４Ａを使用位置５と第１退避位置６Ａとの間で移動可能に支持する第１支持機構７Ａと、第２バッフルプレート４Ｂを使用位置５と第２退避位置６Ｂ（第１退避位置６Ａと異なる退避位置）との間で移動可能に支持する第２支持機構７Ｂと、バッフルプレート４Ａ，４Ｂを使用位置５から退避位置６Ａ，６Ｂへ引き上げるためのバッフルプレート引き上げ手段１０と、を備えている。上記使用位置５は、バッフルプレート４が鋼帯３のパスライン１２に沿って当該鋼帯３の側端に近接する位置にあり、上記第１および第２退避位置は、使用位置５よりも鋼帯３の側端から板幅方向に離れた位置にある。以下、第１および第２支持機構７Ａ，７Ｂの具体例を詳細に説明する。
【００１８】
第１および第２支持機構７Ａ，７Ｂは、それぞれ、上部リンク部材８、中間部材９、下部リンク部材１１等で構成されている。また、第１支持機構７Ａと第２支持機構７Ｂとは、鋼帯のパスライン１２に沿った鉛直面１５に関し、互いに反対側に設置されている。
【００１９】
上部リンク部材８は、各支持機構７Ａ，７Ｂにそれぞれ２本ずつ設けられており、それぞれ、上方に向かって前記鉛直面１５の方に傾斜した軸線を中心に先端部が揺動するよう基端部が基台１３に軸支されている。図３、図４等に示す上部リンク部材８は、途中で屈曲部を有し、先端部が屈曲部の先に存在するものとなっているが、屈曲部を有しない真直な板材で上部リンク部材８を構成してもよい。上記基台１３は、図示しない床面、建物の躯体などの不動物に対して直接的又は間接的に固定されており、各支持機構７Ａ，７Ｂ等を安定して支えることができるものである。
【００２０】
中間部材９は、２本の上部リンク部材８の先端部に軸支された斜板部９ａと、該斜板部９ａから下方に延出した鉛直板部９ｂとで主に構成されている。この中間部材９は、姿勢を維持したまま上部リンク部材８の回動により移動する。符号２０は、後述するバッフルプレート傾き防止部材１４を取り付けるために基台１３の下部に設けられた部材であるが、この部材２０は中間部材９の端部に当接して中間部材９の移動限界位置を規制する役割も果たす。
【００２１】
下部リンク部材１１は、各支持機構７Ａ，７Ｂにそれぞれ２本ずつ設けられており（図２の例では２枚１組で１本）、それぞれ、前記鉛直面１５に略直交する軸線を中心に揺動するよう基端部が中間部材９の鉛直板部９ｂに軸支されている。そして、下部リンク部材１１の先端部にバッフルプレート４が軸着されている。符号２９は、下部リンク部材１１の側部に当接して下部リンク部材１１の移動限界位置を規制するストッパである。このストッパ２９が下部リンク部材１１の移動限界位置を規制することにより、バッフルプレート４が鋼帯３に接触することを防止している。また、バッフルプレート４の重心は、鋼帯３側に偏っているため、何も対処しなければ、バッフルプレート４の鋼帯３側が下がって、その直線状端部が鋼帯３の側端に対して平行にならないが、ストッパ２９を最適な位置に設置することで、バッフルプレート４の鋼帯３側の直線状端部と鋼帯３の側端とを平行にすることができる。なお、ストッパ２９は、図示しない設備上の不動箇所に固定されている。
【００２２】
バッフルプレート引き上げ手段１０は、一端にバッフルプレート４の所定位置（例えば鋼帯３と反対側の位置）が固定され、他端にリング１６が固設されたワイヤー１７と、ワイヤー１７を移動自在に支持する支持部１８とで主に構成されている。支持部１８としては、例えば図３、図４に示すように不動箇所に設置された定滑車などを採用し得る。ワイヤー１７は、前記一端から、鋼帯３から板幅方向に離れる方向に向かって斜め上方に延び、支持部１８で下方ないし斜め下方に向きを変えて他端のリング１６に至っている。
【００２３】
中間部材９の鋼帯３と反対側には、バッフルプレート係合手段１９が設けられている。このバッフルプレート係合手段１９は、バッフルプレート４に設けられた鉤状の被係合部４ａに係合可能であり、例えば、中間部材９から延出したアーム部２１の先端部に、互いに隙間を空けて平行に配された２枚の揺動板２２の上端部がアーム部２１を挟んで軸着され、これら揺動板２２間の下部に上記被係合部４ａに係合する係合軸２３が架設されたものとなっている。
【００２４】
また、基台１３の鋼帯３と反対側には、中間部材係合手段２４が設けられている。この中間部材係合手段２４は、中間部材９の鋼帯３と反対側に設けられた鉤状の被係合部９ｄに係合する物であり、例えば、基台１３から延出したアーム部２５の先端部に、互いに隙間を空けて平行に配された２枚の揺動板２６の上端部がアーム部２５を挟んで軸着され、これら揺動板２６間の下部に上記被係合部９ｄに係合する係合軸２７が架設されたものとなっている。なお、揺動板２６は、鉛直面１５に対して傾斜した状態で揺動する。
【００２５】
図３等の符号１４は、バッフルプレート４がパスライン１２に対して傾斜してしまうことを防止するためのバッフルプレート傾き防止部材である。上部リンク部材８は、基台１３および中間部材９に対してそれぞれ相対的に回動自在となっているが、そのためには、上部リンク部材８と、基台１３および中間部材９の双方間に、板厚方向に遊びを確保することが必要である。しかし、そのような遊びを確保すると、上部リンク部材８は、先端部が本来の位置（遊びを確保しなかった場合）よりも垂れ下がってしまい、その結果、中間部材９の鉛直板部９ｂも鉛直面１５に対して傾斜し、使用位置５に降ろされたバッフルプレート４がパスライン１２に対して傾斜してしまう。かかる傾斜を矯正するために、バッフルプレート傾き防止部材１４は、バッフルプレート４が退避位置６Ａ，６Ｂから使用位置５に移動する途中で、中間部材９の斜板部９ａの下面９ｃに摺動しつつ当該下面９ｃを斜め上方に持ち上げ、バッフルプレート４をパスライン１２に沿わせるようにする。
【００２６】
例えば図５に示すように、バッフルプレート傾き防止部材１４は、白抜き矢印の示す方向に移動する中間部材９を迎える側に、スロープ面１４ａを有している。このスロープ面１４ａは、斜板部９ａの下面９ｃと摺動しつつ当該斜板部９ａを持ち上げて、該スロープ面１４ａから連続する最終支持面１４ｂに誘導する構造となっている。最終支持面１４ｂに中間部材９が乗り上がると、上部リンク部材８等の垂れ下がりが矯正され、バッフルプレート４がパスライン１２に沿うようになる。
【００２７】
次に、図２〜図４に示すように、使用位置５にある第１バッフルプレート４Ａを第２退避位置６Ｂにある第２バッフルプレート４Ｂと取り替える際の手順について説明する。
【００２８】
図２および図３に示す状態では、第１支持機構７Ａのバッフルプレート係合手段１９および中間部材係合手段２４は解放され、上部リンク部材８および下部リンク部材１１は斜め下方又は鉛直下方に垂れ下がった状態にある。一方、図２および図４に示すように、第２支持機構７Ｂのバッフルプレート係合手段１９および中間部材係合手段２４は被係合部４ａ，９ｄと係合した状態にあり、上部リンク部材８および下部リンク部材１１が斜め方向を向いた状態で第２バッフルプレート４Ｂが第２退避位置６Ｂにしっかりと固定されている。
【００２９】
この状態より、作業者によりリング１６が引き下げられると、ワイヤー１７を介してバッフルプレート４Ａが引き上げられる。このとき、下部リンク部材１１の先端が鋼帯３から離反する側に回動し、下部リンク部材１１の先端部に軸着された第１バッフルプレート４Ａは、鋼帯３から離反しながら上昇して、第１バッフルプレート４Ａの被係合部４ａがバッフルプレート係合手段１９の係合軸２３へと誘導される。そして、被係合部４ａは、一旦、係合軸２３を押し退けた後、自重により振り戻される当該係合軸２３の上部に係合し、第１バッフルプレート４Ａが中間部材９に固定される。このようにして、第１バッフルプレート４Ａおよび第１支持機構７Ａの各部は、図２、図３に示す状態から図６、図７に示す状態へ移る。このとき、第１バッフルプレート４Ａは図６に示すように、ワイピングノズル２８より高い位置へ移動する。
【００３０】
続いて、さらに作業者によりリング１６が下方に引き下げられると、ワイヤー１７を介してバッフルプレート４Ａがさらに引き上げられる。これに伴い、上部リンク部材８の先端が鋼帯３から離反する側に回動し、上部リンク部材８の先端部に軸着された中間部材９は、鋼帯３から離反しながら上昇し、同時に鉛直面１５から離反する。そして、中間部材９に設けられた被係合部９ｄは、上部リンク部材８によって、中間部材係合手段２４の係合軸２７へ誘導され、一旦、係合軸２７を押し退けた後、自重により振り戻される当該係合軸２７の上部に係合する。これにより、中間部材９は基台１３に固定され、第１バッフルプレート４Ａは第１退避位置６Ａに保持される。このようにして、第１バッフルプレート４Ａおよび第１支持機構７Ａの各部は、図６、図７に示す状態から図８、図９に示す状態へ移る。
【００３１】
次に、図４、図８に示すように、第２退避位置６Ｂにある第２バッフルプレート４Ｂを使用位置５へ向けて移動させるために、先ず、第２支持機構７Ｂに備わっている中間部材係合手段２４の係合を解放する。この解放は、例えば、揺動板２６の先端部から側方に突出したピン３０を図８において手前側引くことで行うことができる。中間部材係合手段２４の係合が解放されると、自重により、第２バッフルプレート４Ｂは、中間部材９とともに、上部リンク部材８の案内にしたがって、姿勢を維持したまま斜め下方に降下し、中間部材９が部材２０に当接して停止する。既述したように、中間部材９が部材２０に当接する直前には、バッフルプレート傾き防止部材１４により、中間部材９が持ち上げられ、上部リンク部材８等の垂れ下がりが矯正される。このようにして、第２バッフルプレート４Ｂおよび第２支持機構７Ｂの各部は、図４、図８に示す状態から図１０、図１１に示す状態へ移る。
【００３２】
続いて、第２支持機構７Ｂに設けられているバッフルプレート係合手段１９の係合を解放する。この解放は、例えば、揺動板２２の先端部から側方に突出したピン３１を図１０において手前側に引くことで行うことができる。係合が解放されると、自重により、第２バッフルプレート４Ｂは、下部リンク部材１１の案内にしたがって、姿勢を維持したまま降下し、下部リンク部材２９の側部がストッパ２９に当接することで、下部リンク部材２９の回動が停止し、バッフルプレート４Ｂは、鋼帯３の側端の近傍に配置される。バッフルプレート傾き防止部材１４により上部リンク部材８等の垂れ下がりが矯正されているため、第２バッフルプレート４Ｂはパスライン１２に沿った使用位置５に自ずと正確に配置される。このようにして、第２バッフルプレート４Ｂおよび第２支持機構７Ｂの各部は、図１０、図１１に示す状態から図１２、図１３に示す状態へ移る。
【００３３】
以上の説明では、使用位置５にある第１バッフルプレート４Ａを第２バッフルプレート４Ｂに取り替える際の手順について説明したが、既述の説明で第１支持機構７Ａと第２支持機構７Ｂを置き換えて操作することで、使用位置５にある第２バッフルプレート４Ｂを第１バッフルプレート４Ａに取り替えることもできる。
【００３４】
以上の説明から明らかなように、本発明の実施の形態に係るバッフルプレートの取り替え装置１によれば、使用位置５と第１退避位置６Ａとの間で第１バッフルプレート４Ａを移動可能に支持する第１支持機構７Ａと、使用位置５と第２退避位置６Ｂとの間で第２バッフルプレート４Ｂを移動可能に支持する第２支持機構７Ｂと、を備えているので、使用位置５にある一方のバッフルプレートを引き上げて、退避位置にある他方のバッフルプレートを降下させるだけで、使用位置５に配置するバッフルプレート４を取り替えることができるので、取り替え作業を容易かつ迅速に行うことができる。したがって、本発明の実施の形態に係るバッフルプレートの取り替え装置１によれば、メッキラインを殆ど停止することなくバッフルプレート４を取り替えることが可能となる。
【００３５】
また、本発明の実施の形態に係るバッフルプレートの取り替え装置１によれば、バッフルプレート傾き防止部材１４により、中間部材９が持ち上げられ、上部リンク部材８等の垂れ下がりが矯正されるため、バッフルプレート４をパスライン１２に正確に沿わせることができる。
【００３６】
既述の実施形態では、ワイヤー１７、支持部１８、リング１６等で構成されたバッフルプレート引き上げ手段１０が設けられていたが、このバッフルプレート引き上げ手段１０は、他の構成に置き換えて運用することも可能である。また、バッフルプレート引き上げ手段１０を用いずに、作業者がバッフルプレート４を手で持ち上げることにより、バッフルプレート４の取り替え作業を行うことができる場合もある。
【産業上の利用可能性】
【００３７】
本発明は、例えば、連続溶融メッキラインにおけるメッキ槽を経由して上方へ送られる鋼帯の両側に配置されるバッフルプレートを取り替えるための装置として適用可能である。
【符号の説明】
【００３８】
１    バッフルプレートの取り替え装置
２    メッキ槽
３    鋼帯
４    バッフルプレート
４Ａ  第１バッフルプレート
４Ｂ  第２バッフルプレート
５    使用位置
６Ａ  第１退避位置
６Ｂ  第２退避位置
７Ａ  第１支持機構
７Ｂ  第２支持機構
８    上部リンク部材
９    中間部材
９ａ  斜板部
９ｂ  鉛直板部
９ｃ  下面
１１  下部リンク部材
１２  パスライン
１３  基台
１４  バッフルプレート傾き防止部材
１５  鉛直面
【図１】
2014189819.tif 000003
【図２】
2014189819.tif 000004
【図３】
2014189819.tif 000005
【図４】
2014189819.tif 000006
【図５】
2014189819.tif 000007
【図６】
2014189819.tif 000008
【図７】
2014189819.tif 000009
【図８】
2014189819.tif 000010
【図９】
2014189819.tif 000011
【図１０】
2014189819.tif 000012
【図１１】
2014189819.tif 000013
【図１２】
2014189819.tif 000014
【図１３】
2014189819.tif 000015